(57)【特許請求の範囲】
【請求項１】
光通信ネットワーク上でＣバンド及びＬバンド光信号からなる広帯域光信号を増幅して出力する広帯域光ファイバ増幅器において、
Ｃバンド及びＬバンドからなる広帯域光信号を増幅し、該広帯域光信号の増幅過程から発生する増幅された自発放出光を出力する第１増幅部と、
該第１増幅部によって増幅された広帯域光信号をＣバンドとＬバンド光信号にそれぞれ分けて出力するＣ／Ｌスプリッタと、
該Ｃ／Ｌスプリッタから出力されたＬバンド光信号を増幅して出力する第２増幅部と、
前記Ｃ／Ｌスプリッタから出力されたＣバンド光信号と該第２増幅部によって増幅されたＬバンド光信号とを結合して出力する光信号結合器と、
光通信ネットワークから広帯域光信号が入力される第１ポート、該入力された広帯域光信号を出力し、前記第１増幅部から発生した自発放出光を入力する第２ポート、前記自発放出光を前記第２増幅部のポンピング光として供給し、前記第２増幅部によって増幅されたＬバンド光信号が入力される第３ポート、及び該第３ポートに入力されたＬバンド光信号を前記光信号結合器に出力する第４ポートを備える光サーキュレータと、を含むことを特徴とする広帯域光ファイバ増幅器。
【請求項２】
第１増幅部とＣ／Ｌスプリッタとの間に広帯域光信号の進行方向とは逆方向に進行する光信号を遮断する光アイソレータをさらに含む請求項１記載の広帯域光ファイバ増幅器。
【請求項３】
第１増幅部は、
第１増幅部に入力され広帯域光信号を増幅するためのポンピング光を発生する少なくとも１つ以上のポンピングダイオードと、
該ポンピング光によって励起され入力された広帯域光信号を増幅する希土類元素が添加された第１希土類元素添加光ファイバと、
該第１希土類元素添加光ファイバの入力側で、少なくとも１つ以上のポンピングダイオードから発生したポンピング光を第１希土類元素添加光ファイバに供給する波長選択結合器と、を備える請求項１記載の広帯域光ファイバ増幅器。
【請求項４】
第２増幅部は、
第２増幅部に入力されるＬバンド光信号を増幅するためのポンピング光を発生する少なくとも１つ以上のポンピングダイオードと、
該ポンピング光によって入力されたＬバンド光信号を増幅する希土類元素が添加された第２希土類元素添加光ファイバと、
該第２希土類元素添加光ファイバの入力側で、少なくとも１つ以上のポンピングダイオードから発生したポンピング光を第２希土類元素添加光ファイバに供給する波長選択結合器と、を備える請求項１記載の広帯域光ファイバ増幅器。
【請求項５】
広帯域光信号は、光通信ネットワークから供給される請求項１記載の広帯域光ファイバ増幅器。
【請求項６】
Ｃバンド光信号と増幅されたＬバンド光信号とが結合されて光通信ネットワークに出力される請求項１記載の広帯域光ファイバ増幅器。
【発明の詳細な説明】
【技術分野】
【０００１】
本発明は、光通信システムに関し、特に、光通信ネットワークから伝送される光信号を一定条件に応じて増幅して光信号の損失または光パワーの低下を補償する広帯域光ファイバ増幅器に関する。
【背景技術】
【０００２】
光通信システムにおいて使用される光ファイバ増幅器は、伝送される光信号を増幅する装置であり、光信号を光電変換せずに光信号自体を増幅するので、構成が簡単で、しかも経済的である。この光ファイバ増幅器は、希土類元素(rare-earth element)添加光ファイバ、ポンピング光を発生するポンピングダイオード、伝送される光信号とポンピング光を結合して希土類元素添加光ファイバに供給する波長選択結合器、及び光アイソレータ(isolator)などから構成される。
【０００３】
光ファイバに添加される希土類元素としては、エルビウム(erbium:Ｅｒ)、プラセオジム(praseodymium:Ｐｒ)、イッテルビウム(ytterbium:Ｙｂ)などが使用される。希土類元素添加光ファイバによる光増幅は、誘導放出(stimulated emission)過程を介して行われる。ポンピングダイオードから提供されるポンピング光は、希土類元素添加光ファイバに添加されたイオン状態の希土類元素を励起させ、希土類元素添加光ファイバに入射された光信号は、励起されたイオンの誘導放出過程を介すことで増幅される。
【０００４】
一方、光通信システムを介して送受信されるデータの量が増加するにつれて、光通信ネットワークの伝送帯域幅を広げる必要性が発生してきた。従って、現在光通信システムにおいて広く採用されている波長分割多重(Wavelength Division Multiplexing：ＷＤＭ)伝送方式においては、信号帯域としてＣバンド(1530nm〜1560nm：C-band)信号帯域及びＬバンド(1570nm〜1600nm：L-band)信号帯域を同時に利用することのできる広帯域光ファイバ増幅器(wideband optical fiber amplifier)が実用化されている。
【０００５】
図１は、従来技術による広帯域光ファイバ増幅器１００を示す構成図である。図１に示すように、従来技術による広帯域光ファイバ増幅器１００は、Ｃ／Ｌスプリッタ(C/L splitter)１１０、３ポート(3-port)光サーキュレータ(circulator)１１１、第１増幅部１３０、第２増幅部１４０、光アイソレータ１１３、１２１、１２５、第１光信号結合器１１５、及び第２光信号結合器１２３から構成される。
【０００６】
Ｃ／Ｌスプリッタ１１０は、光通信ネットワークから広帯域光ファイバ増幅器１００に入力される広帯域光信号を、Ｃバンド光信号とＬバンド光信号とに分けてそれぞれ第１増幅部１３０及び第２増幅部１４０へ伝送する。
【０００７】
３ポート光サーキュレータ１１１は、第１ポート１、第２ポート２及び第３ポート３を有し、Ｃ／Ｌスプリッタ１１０で分けられたＣバンド光信号を第１ポート１に入力し、第２ポート２を介して第１増幅部１３０に入力する。第２ポート２にはさらに、第１増幅部１３０から発生され増幅された自発放出光(amplified spontaneous emission:ＡＳＥ)が入力され、その入力されたＡＳＥは第３ポート３を介して第２光信号結合器１２３へ出力される。さらに、３ポート光サーキュレータ１１１は、第２ポート２に入力されたＡＳＥまたは反射された光信号が第１ポート１を介して逆に出力されることを防止する光アイソレータの機能も有する。
【０００８】
第１増幅部１３０は、第１ポンピングダイオード１３１、第１波長選択結合器１３２及び希土類元素添加光ファイバ１３３から構成され、３ポート光サーキュレータ１１１から出力されたＣバンド光信号を増幅する。第１ポンピングダイオード１３１から発生したポンピング光は、第１波長選択結合器１３２においてＣバンド光信号と結合され、希土類元素添加光ファイバ１３３へ供給される。希土類元素添加光ファイバ１３３の希土類元素は、ポンピング光によって励起され、誘導放出過程を介すことでＣバンド光信号を増幅させる。第１ポンピングダイオード１３１は、９８０ｎｍまたは１４８０ｎｍの波長帯のポンピング光を出力するレーザーダイオードを利用することができる。第１増幅部１３０の光信号増幅過程から発生したＡＳＥは、３ポート光サーキュレータ１１１の第２ポート２に入力され、第３ポート３を介して第２増幅部１４０へ伝送される。この第１増幅部１３０から発生したＡＳＥは、第２増幅部１４０のポンピング光として供給される。
【０００９】
第１増幅部１３０によって増幅されたＣバンド光信号は、光アイソレータ１１３を介して第１光信号結合器１１５へ出力される。
【００１０】
一方、Ｃ／Ｌスプリッタ１１０によって分けられたＬバンド光信号は、光アイソレータ１２１及び第２光信号結合器１２３を介して第２増幅部１４０に入力され増幅される。
【００１１】
第２光信号結合器１２３は、Ｃ／Ｌスプリッタ１１０で分けられたＬバンド光信号と３ポート光サーキュレータ１１１を介し出力されたＡＳＥとを結合し、第２増幅部１４０に入力させる。前述したように、第１増幅部１３０から発生したＡＳＥは、第２増幅部１４０のポンピング光として供給される。
【００１２】
第２増幅部１４０は、第２ポンピングダイオード１４１ａ、第３ポンピングダイオード１４１ｂ、第２波長選択結合器１４３ａ、第３波長選択結合器１４３ｂ、及び希土類元素添加光ファイバ１４５から構成され、Ｃ／Ｌスプリッタ１１０によって分けられたＬバンド光信号を増幅する。
【００１３】
第２ポンピングダイオード１４１ａ及び第３ポンピングダイオード１４１ｂから発生したポンピング光は、それぞれ第２波長選択結合器１４３ａ及び第３波長選択結合器１４３ｂを介して希土類元素添加光ファイバ１４５へ供給される。また、第１増幅部１３０から発生したＡＳＥがＬバンド光信号の増幅のためのポンピング光として利用される。希土類元素添加光ファイバ１４５の希土類元素は、ポンピング光によって励起され、誘導放出過程を介すことでＬバンド光信号を増幅させる。第２波長選択結合器１４３ａ及び第３波長選択結合器１４３ｂは、第２増幅部１４０の入力側及び出力側にそれぞれ位置し、第２増幅部１４０の入出力の両端からポンピング光を希土類元素添加光ファイバ１４５へ供給する。
【００１４】
第２増幅部１４０によって増幅されたＬバンド光信号は、光アイソレータ１２５を介して第１光信号結合器１１５へ出力される。
【００１５】
第１光信号結合器１１５は、第１増幅部１３０及び第２増幅部１４０でそれぞれ増幅されたＣバンド光信号とＬバンド光信号とを結合し、光通信ネットワークへ出力する。
【００１６】
しかしながら、前述したように、従来の広帯域光ファイバ増幅器は、光通信ネットワークから入力される広帯域光信号をＣバンド光信号とＬバンド光信号とに分けてそれぞれ増幅し、Ｃバンド光信号の増幅時に発生するＡＳＥをＬバンド光信号の増幅に利用するために、別の光信号結合器を付加して使用するので、増幅器の雑音指数及び挿入損失が増加する。更に、構成部品数の増加により製作費用が増加するという問題があった。
【発明の開示】
【発明が解決しようとする課題】
【００１７】
このような問題点を解決するための本発明の目的は、雑音指数及び挿入損失を低減することによって、光信号増幅の品質を向上させる広帯域光信号増幅器を提供することにある。
【００１８】
本発明の他の目的は、構成部品点数を減らして製作費用を低減する広帯域光信号増幅器を提供することにある。
【課題を解決するための手段】
【００１９】
このような目的を達成するために本発明の広帯域光ファイバ増幅器は、光通信ネットワーク上でＣバンド及びＬバンド光信号からなる広帯域光信号を増幅して出力する広帯域光ファイバ増幅器は、Ｃバンド及びＬバンドからなる広帯域光信号を増幅し、広帯域光信号の増幅過程から発生する増幅されたＡＳＥを出力する第１増幅部と、第１増幅部によって増幅された広帯域光信号をＣバンドとＬバンド光信号にそれぞれ分けて出力するＣ／Ｌスプリッタと、Ｃ／Ｌスプリッタから出力されたＬバンド光信号を増幅して出力する第２増幅部と、Ｃ／Ｌスプリッタから出力されたＣバンド光信号と第２増幅部によって増幅されたＬバンド光信号とを結合して出力する光信号結合器と、光通信ネットワークから広帯域光信号が入力される第１ポート１、入力された広帯域光信号を出力し、第１増幅部から発生したＡＳＥを入力する第２ポート２、ＡＳＥを第２増幅部のポンピング光として供給し、第２増幅部によって増幅されたＬバンド光信号が入力される第３ポート３、及び第３ポート３に入力されたＬバンド光信号を光信号結合器に出力する第４ポート４を備える光サーキュレータと、を含むことを特徴とする。
【００２０】
本発明の広帯域光ファイバ増幅器は、第１増幅部とＣ／Ｌスプリッタとの間に広帯域光信号の進行方向とは逆方向に進行する光信号を遮断する光アイソレータをさらに含むとよい。
【００２１】
本発明の広帯域光ファイバ増幅器の第１増幅部は、第１増幅部に入力され広帯域光信号を増幅するためのポンピング光を発生する少なくとも１つ以上のポンピングダイオードと、ポンピング光によって励起され入力された広帯域光信号を増幅する希土類元素が添加された第１希土類元素添加光ファイバと、第１希土類元素添加光ファイバの入力側で、少なくとも１つ以上のポンピングダイオードから発生したポンピング光を第１希土類元素添加光ファイバに供給する波長選択結合器と、を備えるとよい。
【００２２】
また、本発明の広帯域光ファイバ増幅器の第２増幅部は、第２増幅部に入力されるＬバンド光信号を増幅するためのポンピング光を発生する少なくとも１つ以上のポンピングダイオードと、ポンピング光によって入力されたＬバンド光信号を増幅する希土類元素が添加された第２希土類元素添加光ファイバと、第２希土類元素添加光ファイバの入力側で、少なくとも１つ以上のポンピングダイオードから発生したポンピング光を第２希土類元素添加光ファイバに供給する波長選択結合器と、を備えるとよい。
【００２３】
そしてまた、本発明の広帯域光増幅器の広帯域光信号は、光通信ネットワークから供給されるのがよい。
【００２４】
またそして、Ｃバンド光信号と増幅されたＬバンド光信号とが結合されて光通信ネットワークに出力されるとよい。
【発明の効果】
【００２５】
本発明によれば、広帯域光ファイバ増幅器は、４ポート光サーキュレータを利用して光通信ネットワークから広帯域光信号を受信すると同時に、光信号増幅過程において光アイソレータの機能を有することによって、光アイソレータまたは光信号結合器などの部品数を減らすことができる。従って、多数の部品を使用することによる雑音指数及び挿入損失の増加が改善できる。更に、広帯域光ファイバ増幅器の製作費用を低減でき、増幅器のサイズを小型化できるようになる。
【発明を実施するための最良の形態】
【００２６】
以下、本発明に従う好適な一実施形態について添付図を参照しつつ詳細に説明する。下記の説明において、本発明の要旨のみを明確にする目的で、関連した公知機能又は構成に関する具体的な説明は省略する。
【実施例１】
【００２７】
図２は、本発明の第１実施形態による広帯域光ファイバ増幅器２００を示す構成図である。図２に示すように、本発明の第１実施形態による広帯域光ファイバ増幅器２００は、４ポート光サーキュレータ２１０、第１増幅部２３０、第２増幅部２４０、光アイソレータ２１１、Ｃ／Ｌスプリッタ２１３、及び光信号結合器２１５を備える。
【００２８】
４ポート光サーキュレータ２１０は、第１ポート１、第２ポート２、第３ポート３及び第４ポート４を有する。４ポート光サーキュレータ２１０は、光通信ネットワークから入力される広帯域光信号を第１ポート１に入力し、第２ポート２を介して第１増幅部２３０に入力させる。また、４ポート光サーキュレータ２１０は、第１増幅部２３０の光信号増幅過程から発生する増幅されたＡＳＥを第２ポート２に入力し、第３ポート３を介して出力する。そして、第２増幅部２４０によって増幅されたＬバンド光信号は第３ポート３を介し、第４ポート４へ出力する。つまり、４ポート光サーキュレータ２１０は、第１ポート１に入力される広帯域光信号は第２ポート２に、第２ポート２を介して入力されるＡＳＥは第３ポート３に、第３ポート３を介して入力されるＬバンド光信号は第４ポート４にそれぞれ出力させる。同時に、４ポート光サーキュレータ２１０は、それぞれの逆方向に伝送されて増幅効率を低下させる光信号を遮断する光アイソレータの機能を有する。
【００２９】
第１増幅部２３０は、第１ポンピングダイオード２３１、第１波長選択結合器２３２及び第１希土類元素添加光ファイバ２３３から構成され、４ポート光サーキュレータ２１０から広帯域光信号を入力して増幅する。第１ポンピングダイオード２３１から発生したポンピング光は、第１波長選択結合器２３２において広帯域光信号と結合され第１希土類元素添加光ファイバ２３３へ供給される。第１希土類元素添加光ファイバ２３３の希土類元素は、ポンピング光によって励起され、誘導放出過程を介すことで広帯域光信号を増幅させる。前述したような第１ポンピングダイオード２３１としては、９８０ｎｍまたは１４８０ｎｍの波長帯のポンピング光を出力するレーザーダイオードを利用することができる。第１増幅部２３０の光信号増幅過程から発生するＡＳＥは、４ポート光サーキュレータ２１０の第２ポート２に入力され第３ポート３を介して第２増幅部２４０に入力される。第１増幅部２３０から発生したＡＳＥは、第２増幅部２４０のポンピング光として供給される。
【００３０】
第１増幅部２３０によって増幅された広帯域光信号は、光アイソレータ２１１を介してＣ／Ｌスプリッタ２１３へ出力される。
【００３１】
光アイソレータ２１１は、第１増幅部２３０とＣ／Ｌスプリッタ２１３との間で広帯域光信号の伝送方向とは逆方向に伝送する光信号を遮断する。
【００３２】
Ｃ／Ｌスプリッタ２１３は、増幅された広帯域光信号をＣバンド光信号とＬバンド光信号とに分けて出力する。Ｃ／Ｌスプリッタ２１３で分けられたＣバンド光信号は、光信号結合器２１５へ出力され、Ｌバンド光信号は、第２増幅部２４０に出力される。
【００３３】
第２増幅部２４０は、第２ポンピングダイオード２４１、第２波長選択結合器２４２及び第２希土類元素添加光ファイバ２４３から構成され、Ｃ／Ｌスプリッタ２１３によって分けられたＬバンド光信号を入力し増幅する。第１増幅部２３０から発生したＡＳＥ及び第２ポンピングダイオード２４１から発生したポンピング光は、第２波長選択結合器２４２を介して第２希土類元素添加光ファイバ２４３へ供給される。第２希土類元素添加光ファイバ２４３の希土類元素は、ＡＳＥ及びポンピング光によって励起され、誘導放出過程を介してＬバンド光信号を増幅させる。一方、第１増幅部２３０から発生したＡＳＥは、４ポート光サーキュレータ２１０を介してＬバンド光信号の伝送方向とは逆方向に第２増幅部２４０に入力されることが分かる。第２ポンピングダイオード２４１から発生したポンピング光も、Ｌバンド光信号の伝送方向とは逆方向に入力される。つまり、第２希土類元素添加光ファイバ２４３に供給されるポンピング光は、増幅される光信号の伝送方向の逆方向に供給することができる。これは、第１増幅部２３０にも同様に行うことができる。
【００３４】
第２増幅部２４０によって増幅されたＬバンド光信号は、４ポート光サーキュレータ２１０の第３ポート３に入力され第４ポート４を介して光信号結合器２１５へ出力される。
【００３５】
光信号結合器２１５は、第１増幅部２３０及び第２増幅部２４０によってそれぞれ増幅されたＣバンド光信号とＬバンド光信号とを結合して光通信ネットワークへ出力する。
【００３６】
結果的に、４ポート光サーキュレータ２１０に入力された広帯域光信号は、第１増幅部２３０によって一次増幅された後、Ｃバンド光信号とＬバンド光信号とに分けられ、Ｌバンド光信号のみが第２増幅部２４０によって２次増幅される。第１増幅部２３０から発生したＡＳＥは、４ポート光サーキュレータ２１０を介してＬバンド光信号とは逆方向に第２増幅部２４０に入力され、ポンピング光として供給される。
【００３７】
前述したように、本発明の第１実施形態による広帯域光ファイバ増幅器が４ポート光サーキュレータを利用することによって、光信号結合器、光アイソレータなどの部品数を減らすことができる。
【実施例２】
【００３８】
図３は、本発明の第２実施形態による広帯域光ファイバ増幅器３００を示す構成図である。図３に示すように、本発明の第２実施形態による広帯域光ファイバ増幅器３００は、４ポート光サーキュレータ３１０、第１増幅部３３０、第２増幅部３４０、光アイソレータ３１１、Ｃ／Ｌスプリッタ３１３及び光信号結合器３１５を備える。
【００３９】
本発明の第２実施形態による広帯域光ファイバ増幅器３００の広帯域光信号の増幅過程は、広帯域光信号が４ポート光サーキュレータ３１０に入力されて第１増幅部３３０によって１次増幅された後、Ｃバンド光信号とＬバンド光信号とに分けられ、Ｌバンド光信号のみが第２増幅部３４０を介して２次増幅される。さらに、第１増幅部３３０から発生したＡＳＥは、４ポート光サーキュレータ３１０を介してＬバンド光信号とは逆方向に第２増幅部３４０に入力され、ポンピング光として供給される点は、前述した広帯域光ファイバ増幅器２００の広帯域光信号の増幅過程と同一である。
【００４０】
しかしながら、本発明の第２実施形態の第１増幅部３３０及び第２増幅部３４０は、第１実施形態とその構成がそれぞれ異なる。
【００４１】
以下、第１増幅部３３０及び第２増幅部３４０に関して、図３を参照して詳細に説明する。
【００４２】
第１増幅部３３０は、第１ポンピングダイオード３３１ａ、第２ポンピングダイオード３３１ｂ、第１波長選択結合器３３３ａ、第２波長選択結合器３３３ｂ及び第１希土類元素添加光ファイバ３３５を備える。第１ポンピングダイオード３３１ａは、第１増幅部３３０に入力される広帯域光信号を増幅するためのポンピング光を発生し、第１波長選択結合器３３３ａを介して第１希土類元素添加光ファイバ３３５の入力側にポンピング光を供給する。第２ポンピングダイオード３３１ｂは、広帯域光信号の増幅のためのポンピング光を発生し、第２波長選択結合器３３３ｂを介して第１希土類元素添加光ファイバ３３５の出力側にポンピング光を供給する。
【００４３】
第２増幅部３４０は、第３ポンピングダイオード３４１ａ、第４ポンピングダイオード３４１ｂ、第３波長選択結合器３４３ａ、第４波長選択結合器３４３ｂ及び第２希土類元素添加光ファイバ３４５を備える。第３ポンピングダイオード３４１ａは、第２増幅部３４０に入力されるＬバンド光信号を増幅するためのポンピング光を発生し、第３波長選択結合器３４３ａを介して第２希土類元素添加光ファイバ３４５の入力側にポンピング光を供給する。第４ポンピングダイオード３４１ｂは、Ｌバンド光信号の増幅のためのポンピング光を発生し、第４波長選択結合器３４３ｂを介して第２希土類元素添加光ファイバ３４５の出力側にポンピング光を供給する。第２増幅部３４０は、第１増幅部３３０から発生して４ポート光サーキュレータ３１０を介して入力されるＡＳＥをポンピング光として利用する。このＡＳＥは、第２増幅部３４０の出力側において、第４波長選択結合器３４３ｂを介して第２希土類元素添加光ファイバ３４５の出力側に供給される。
【００４４】
図２に示す第１実施形態を参照すると、第１増幅部２３０のポンピング光は、第１希土類元素添加光ファイバ２３３の入力側において光信号の伝送方向と同一の方向に供給され、第２増幅部２４０のポンピング光は、第２希土類元素添加光ファイバ２４３の出力側において光信号の伝送方向とは逆方向に供給されることが分かる。
【００４５】
図３に示す第２実施形態を参照すると、第１増幅部３３０及び第２増幅部３４０のポンピング光は、それぞれ第１希土類元素添加光ファイバ３３５、第２希土類元素添加光ファイバ３４５の入力側及び出力側においてそれぞれ供給されることが分かる。
【００４６】
つまり、希土類元素の励起のためのポンピング光は、順方向、逆方向、または両方向に供給されることが可能であり、本発明の第２実施形態に示すように、ポンピング光が両方向に供給される場合、光ファイバ増幅器の増幅出力が増加する。
【００４７】
前述したように、４ポート光サーキュレータを利用することによって、光信号結合器、光アイソレータなどの部品数を減らすことができ、さらに、両方向にポンピング光を供給することによって、増幅器の出力が増加する。
【００４８】
前述の如く、本発明を具体的な一実施形態を参照して詳細に説明してきたが、本発明の範囲は前述の一実施形態によって限られるべきではなく、本発明の範囲内で様々な変形が可能であるということは、当該技術分野における通常の知識を持つ者には明らかである。
【図面の簡単な説明】
【００４９】
【図１】従来技術による広帯域光ファイバ増幅器を示す構成図。
【図２】本発明の第１実施形態による広帯域光ファイバ増幅器を示す構成図。
【図３】本発明の第２実施形態による広帯域光ファイバ増幅器を示す構成図。
【符号の説明】
【００５０】
２００、３００  広帯域光ファイバ増幅器
２１０、３１０  ４ポート光サーキュレータ
２１１、３１１  光アイソレータ
２１３、３１３  Ｃ／Ｌスプリッタ
２１５、３１５  光信号結合器
２３０、３３０  第１増幅部
２３１、３３１ａ  第１ポンピングダイオード
２３２、３３３ａ  第１波長選択結合器
２３３、３３５  第１希土類元素添加光ファイバ
２４０、３４０  第２増幅部
２４１、３３１ｂ  第２ポンピングダイオード
２４２、３３３ｂ  第２波長選択結合器
２４３、３４５  第２希土類元素添加物ファイバ
３４１ａ  第３ポンピングダイオード
３４１ｂ  第４ポンピングダイオード
３４３ａ  第３波長選択結合器
３４３ｂ  第４波長選択結合器
【図１】
0003699461.tif 000002
【図２】
0003699461.tif 000003
【図３】
0003699461.tif 000004